(57)【要約】【課題】電気機器の操作不能時に、電気機器の異常の有無を報知することができる制御ユニットを提供する。【解決手段】分電盤３１内に配設されるリモコンブレーカ３１１に接続される第１の端子部１２１と、リモコンブレーカ３１１の制御内容を指示する制御信号Ｓ１を第１の端子部１２１を介してリモコンブレーカ３１１に出力し、リモコンブレーカ３１１の動作状態を示す状態信号Ｓ２がリモコンブレーカ３１１から第１の端子部１２１を介して入力される信号処理部１３２ａと、リモコンブレーカ３１１の異常を報知する表示部２２１と、制御内容と動作状態とを記憶する記憶部１３２ｃと、表示部２２１を制御する表示制御部１３２ｂを備え、表示制御部１３２ｂは、タイムアウト時間後に記憶部１３２ｃに格納された制御内容と動作状態とを比較し、一致しない場合、表示部２２１を用いて異常を報知する。【選択図】図１
2011259626.tif 000002
【特許請求の範囲】
【請求項１】
分電盤内に配設される電気機器に電気的に接続される端子部と、
前記電気機器の制御内容を指示する制御信号を前記端子部を介して前記電気機器に出力し、当該電気機器の動作状態を示す状態信号が前記電気機器から前記端子部を介して入力される信号処理部と、
前記電気機器の異常を報知する表示部と、
前記制御信号が指示する制御内容と、前記状態信号が示す前記電気機器の動作状態とを記憶する記憶部と、
前記表示部を制御する表示制御部とを備え、
前記表示制御部は、前記信号処理部が前記制御信号を送信した後に、前記記憶部に格納された前記制御内容と前記動作状態とを比較し、前記制御内容と前記動作状態とが一致しない場合、前記表示部を用いて異常を報知することを特徴とする制御ユニット。
【請求項２】
両端方向の一端に前記端子部を具備し、前記分電盤の底面に配設される矩形箱型のケースを備え、
前記端子部は前記電気機器に電気的に接続される第１の端子部と、前記分電盤外に設けられる外部機器に電気的に接続される第２の端子部とで構成され、
前記第２の端子部は前記第１の端子部よりも、前記分電盤の底面に対して離れた位置に設けられ、かつ両端方向の他端側に設けられることを特徴とする請求項１記載の制御ユニット。
【請求項３】
前記ケースは前記信号処理部と前記表示制御部とを収納しており、前記ケースの両端方向の他端側にスリットを設けることを特徴とする請求項２記載の制御ユニット。
【発明の詳細な説明】
【技術分野】
【０００１】
本発明は、制御ユニットに関するものである。
【背景技術】
【０００２】
従来から、分電盤内に配設され、分電盤内に配設される例えばリモコンブレーカ等の電気機器の制御を行う制御ユニットが提供されている（例えば特許文献１参照）。
【０００３】
従来の制御ユニットは、略矩形箱型のケースと、ケースに設けられる端子部と、端子部に接続される信号処理部と、リモコンブレーカの状態を表示する表示部および制御ユニットを操作する操作部とを具備する操作表示面とで構成されている。
【０００４】
端子部はケースの一端と他端とに設けられており、外部機器やリモコンブレーカなどに電気的に接続される。
【０００５】
信号処理部は、外部機器より受信する入力信号または操作部による操作に基づいて制御信号を生成し、当該制御信号を電気機器に出力することで、電気機器の制御を行う。
【０００６】
操作表示面はケース表面に設けられて操作部及び表示部をからなる。操作部は、ＯＮボタンとＯＦＦボタンとスライドつまみで構成されている。ＯＮボタンは、制御ユニットを制御してリモコンブレーカをオンさせ、ＯＦＦボタンはリモコンブレーカをオフさせる。また、スライドつまみは制御ユニットの自動・手動モードを切り替えることができ、自動モードに設定すると、リモコンブレーカのオン・オフを外部機器から制御することができる。
【０００７】
また、表示部には、複数の窓部が設けられ、信号処理部から受信する表示信号によって点灯するＬＥＤを、当該窓部を介して外部から確認することができ、更に、各窓部の近傍にはリモコンブレーカの運転状態を表す文字が印字されている従って、各文字に対応する窓部からＬＥＤの点灯状態を確認することでリモコンブレーカの動作状態を確認することができる。
【先行技術文献】
【特許文献】
【０００８】
【特許文献１】特開昭６２−１４７９０３号公報
【発明の概要】
【発明が解決しようとする課題】
【０００９】
従来の制御ユニットは、リモコンブレーカの制御内容を指示する制御信号をリモコンブレーカに出力し、リモコンブレーカは制御信号に基づいてオン・オフ動作する。そして、リモコンブレーカは動作完了後に、自己のオン・オフの状態を示す状態信号を制御ユニットに出力する。そして、制御ユニットは受信した状態信号に基づいて表示部の点灯制御を行い、リモコンブレーカの動作状態を報知していた。
【００１０】
また、操作部を操作したにもかかわらず表示部の表示が切り換わらない場合、制御ユニットの異常またはリモコンブレーカの異常の２つの原因が考えられる。まず、制御ユニットが異常の場合、制御信号が正常に出力されないので、リモコンブレーカが動作せず状態信号が出力できない。そのため、制御ユニットの表示部の表示が切り換わらない。
【００１１】
一方、リモコンブレーカが異常のとき、制御信号が指示する制御内容に基づいたオン・オフ動作が完了しないので、状態信号が出力されず、制御ユニットの表示部の表示が切り換わらない場合がある。または、リモコンブレーカが異常のとき、制御信号が指示する制御内容に基づいたオン・オフ動作が完了せず、制御信号の指示内容と異なる状態信号が出力されるので、制御ユニットの表示部の表示が切り換わらない場合がある。
【００１２】
このように、操作部を操作したにもかかわらず表示部の表示が切り換わらない場合、制御ユニットとリモコンブレーカのうち、どちらの異常なのか特定することが困難であった。
【００１３】
本発明は、上記事由に鑑みてなされたものであり、その目的は、電気機器の操作不能時に、電気機器の異常の有無を報知することができる制御ユニットを提供することにある。
【課題を解決するための手段】
【００１４】
本発明の制御ユニットは、分電盤内に配設される電気機器に電気的に接続される端子部と、前記電気機器の制御内容を指示する制御信号を前記端子部を介して前記電気機器に出力し、当該電気機器の動作状態を示す状態信号が前記電気機器から前記端子部を介して入力される信号処理部と、前記電気機器の異常を報知する表示部と、前記制御信号が指示する制御内容と、前記状態信号が示す前記電気機器の動作状態とを記憶する記憶部と、前記表示部を制御する表示制御部とを備え、前記表示制御部は、前記信号処理部が前記制御信号を送信した後に、前記記憶部に格納された前記制御内容と前記動作状態とを比較し、前記制御内容と前記動作状態とが一致しない場合、前記表示部を用いて異常を報知することを特徴とする。
【００１５】
この制御ユニットにおいて、両端方向の一端に前記端子部を具備し、前記分電盤の底面に配設される矩形箱型のケースを備え、前記端子部は前記電気機器に電気的に接続される第１の端子部と、前記分電盤外に設けられる外部機器に電気的に接続される第２の端子部とで構成され、前記第２の端子部は前記第１の端子部よりも、前記分電盤の底面に対して離れた位置に設けられ、かつ両端方向の他端側に設けられることが好ましい。
【００１６】
この制御ユニットにおいて、前記ケースは前記信号処理部と前記表示制御部とを収納しており、前記ケースの両端方向の他端側にスリットを設けることが好ましい。
【発明の効果】
【００１７】
以上説明したように、本発明では、電気機器の操作不能時に、電気機器の異常の有無を報知することができるという効果がある。
【図面の簡単な説明】
【００１８】
【図１】本発明の実施形態における制御ユニットのブロック構成を示す図である。
【図２】同上の概略断面を示す図である。
【図３】同上の正面を示す図である。
【図４】同上の第１のケースの下面を示す図である。
【図５】同上の第１，第２のコネクタの配置場所を示す図である。
【図６】同上を分電盤内に配置した際の正面を示す図である。
【図７】（ａ）端子部の外観斜視図，（ｂ）端子部の断面図，（ｃ）端子部の上面図，（ｄ）端子部の側面図である。
【図８】同上のメインユニットの設置方向を１８０°回転した場合の正面を示す図である。
【発明を実施するための形態】
【００１９】
以下、本発明の実施の形態を図面に基づいて説明する。
【００２０】
（実施形態）
本実施形態における制御ユニットは、分電盤内に設けられ、分電盤内に配設されたリモコンブレーカ等の電気機器の制御を行う。なお、ここで云う分電盤は、分電盤内に設けられた長尺板状の導電バーの各長辺に沿って複数のリモコンブレーカが並設され、当該導電バーにリモコンブレーカがプラグイン接続されるプラグイン方式の分電盤である。
【００２１】
本実施形態の制御ユニットの概略構成図を図２，３に示す。なお、以下図３における上下左右を基準とし、上下左右方向と直交する方向を前後方向とする。本実施形態の制御ユニットは、メインユニット１とサブユニット２とで構成されている。
【００２２】
メインユニット１は、第１のケース１１と端子部１２と回路基板１３と第１のコネクタ１４とで構成されている。第１のケース１１は略矩形箱型に形成されている。端子部１２は、第１のケース１１の右端に設けられている。回路基板１３は、第１のケース１１内に設けられ、端子部１２と電気的に接続されている。第１のコネクタ１４は、信号処理部１３と電気的に接続されている。
【００２３】
サブユニット２は、第２のコネクタ２１と操作表示基板２２と第２のケース２３と操作表示面２４とで構成されている。第２のコネクタ２１は、第１のコネクタ１４と着脱自在に構成され、第１のコネクタ１４に電気的・機械的に接続される。操作表示基板２２は、第２のコネクタ２１に電気的に接続される。第２のケース２３は、操作表示基板２２を収納している。操作表示面２４は、第２のケース２３の前面に設けられている。
【００２４】
以下に、各部の詳細な構成について説明する。
【００２５】
第１のケース１１は、図２，３に示すＬ１〜Ｌ４の寸法がそれぞれ９６ｍｍ、９０ｍｍ、６０ｍｍ、５０ｍｍである。所謂、分電盤協約寸法（分電盤の内器の規格としてＪＩＳ規格に定められた寸法）に形成されており、ブレーカの収納に用いられている分電盤に収納可能なサイズとなっている。また、第１のケース１１の下面には、図４に示すように、並設されたリモコンブレーカとの間にリード線等の配線を通すための溝部１１ａが形成されている。
【００２６】
端子部１２は、第１の端子部１２１と第２の端子部１２２とで構成されている。第１の端子部１２１は、複数の速結端子１２１ａが上下方向に並設されており、速結端子１２１ａは、図示しないリード線を介してリモコンブレーカ（電気機器）および分電盤内に設けられる外部電源に電気的に接続される。第２の端子部１２２は、複数の速結端子１２２ａが上下方向に並設されており、速結端子１２２ａは、図示しないリード線を介して分電盤内外に設けられるプログラマブルコントローラ（以下ＰＬＣと称する）やサーバ等の外部機器と電気的に接続される。
【００２７】
回路基板１３は、図１に示すように、電源回路１３１と制御部１３２とを備えており、図示しないリード線等の接続手段によって電気的に接続された２つの回路基板１３Ａ，１３Ｂとで構成されている。図２に示すように、回路基板１３Ａは、前面の右端に第１の端子部１２１が実装され、回路基板１３Ｂは、回路基板１３Ａの前方に回路基板１３Ａと略平行に配設されて前面の右端に第２の端子部１２２が実装される。
【００２８】
電源回路１３１は、第１の端子部１２１を介して接続された外部電源５を入力電源として、所定の電圧に変換して制御部１３２に出力する。
【００２９】
制御部１３２は、マイクロコンピュータ等で構成されており、信号処理部１３２ａと表示制御部１３２ｂと記憶部１３２ｃとの機能を有している。
【００３０】
信号処理部１３２ａは、第２の端子部１２２を介して入力される外部機器４からの操作信号Ｓ３ｃおよび、後述する操作部２４２からのオン操作信号Ｓ３ａ，オフ操作信号Ｓ３ｂに基づいて、リモコンブレーカ３１１の制御内容を示す制御信号Ｓ１を生成する。そして、信号処理部１３２ａは、第１の端子部１２１を介してリモコンブレーカ３１１に制御信号Ｓ１を出力することで、リモコンブレーカ３１１のオン・オフを制御する。
【００３１】
表示制御部１３２ｂは、操作表示基板２２に設けられた表示部２２１を点灯制御することで、リモコンブレーカ３１１の動作状態をユーザーに報知する。
【００３２】
記憶部１３２ｃは、制御信号Ｓ１が指示する制御内容と、リモコンブレーカ３１１の動作状態とを記憶している。
【００３３】
第１のコネクタ１４は、図５に示すように、前面が開口した略矩形箱型のハウジング１４ａと、当該ハウジング１４ａ内で上下方向に等間隔に配置される複数のコンタクト１４ｂとからなる。ここで、第１のコネクタ１４のハウジング１４ａは、右側面の上下両端に切り欠き部１４１が各々形成される。
【００３４】
そして、第１のコネクタ１４は、回路基板１３Ｂの前面に実装されて制御部１３２と電気的に接続され、第１のケース１１の前面に形成される図示しない開口によって当該第１のケース１１前面から露出する。その際、第１のコネクタ１４は、第１のケース１１前面の中心から左方向に偏移した位置に設けられる。
【００３５】
サブユニット２の第２のケース２１は、略矩形箱型に形成され、内部に操作表示基板２２が収納されて下面に形成される図示しない開口から２つの第２のコネクタ２１が突出する。
【００３６】
第２のコネクタ２１は、後面が開口した略矩形箱型のハウジング２１ａと、当該ハウジング２１ａ内で上下方向に等間隔に配置される複数のポスト２１ｂとからなる。
【００３７】
また、２つの第２のコネクタ２１は、操作表示基板２２の後面に実装され、第２のケース２３の中心から左方向に偏移した位置と第２のケース２３の中心から右方向に偏移した位置とから各々突出する。
【００３８】
なお、以下、２つの第２のコネクタ２１の内で、第２のケース２３の中心から左方向に偏移した位置から突出するコネクタを第２のコネクタ２１Ａと称し、第２のケース２３の中心から右方向に偏移した位置から突出するコネクタを第２のコネクタ２１Ｂと称する。ここで、第１のコネクタ２１Ａと第２のコネクタ２１Ｂとは、第２のケース２３下面の中心に対して点対称に形成される。なお、第２のコネクタ２１Ａ、２１Ｂを区別しない場合は、第２のコネクタ２１と称す。
【００３９】
加えて、第２のコネクタ２１Ａは、ハウジング２１ｂの右側面の上下両端に突部２１１が各々形成され、第２のコネクタ２１Ｂは、ハウジング２１ｂの左側面の上下両端に突部２１１が各々形成される。
【００４０】
そして、第２のコネクタ２１Ａは、第２のケース２３を第１のケース１１の前面に載置する際に、第１のコネクタ１４に挿し込まれて、第１のコネクタ１４の各コンタクト１４ａと第２のコネクタ２１の各ポスト２１同士とが接触することで導通する。それによって、第１のコネクタ１４の切り欠き部１４ａに第２のコネクタ２１の突部２１ａが嵌まり込み、第１のコネクタ１４と第２のコネクタ２１Ａとが電気的，機械的に接続される。
【００４１】
操作表示基板２２は、第２のケース２３内に収納されており、ＬＥＤ素子２２１ａ〜２２１ｃからなる表示部２２１と、スイッチ素子ＳＷ１〜ＳＷ３とが前面に実装されている。
【００４２】
スイッチ素子ＳＷ１は、ボタンスイッチで構成されており、押圧されることでリモコンブレーカ３１１のオンを指示するオン操作信号Ｓ３ａが出力される。スイッチ素子ＳＷ２は、ボタンスイッチで構成されており、押圧されることでリモコンブレーカ３１１のオフを指示するオフ操作信号Ｓ３ｂが出力される。スイッチ素子ＳＷ３は、スライドスイッチで構成されており、制御ユニットの動作モードを自動・手動・切に切り替える。
【００４３】
ＬＥＤ素子２２１ａは制御ユニットがリモコンブレーカ３１１を正常にオンした場合に点灯し、ＬＥＤ素子２２１ｂは制御ユニットがリモコンブレーカ３１１を正常にオフした場合に点灯する。ＬＥＤ素子２２ｃは、制御ユニットに接続されたリモコンブレーカ３１１がトリップした際に点灯する。
【００４４】
操作表示面２４は第２のケース２３の前面に形成され、リモコンブレーカ３１１の動作状態を外部に表示するモニター部２４１と、ユーザーが制御ユニットを操作する操作部２４２とで構成されている。
【００４５】
モニター部２４１は、操作表示基板２２のＬＥＤ素子２２１ａ〜２２１ｃの各々に対向する位置に窓部２４１ａ〜２４１ｃが形成されている。また、操作表示面２４には、所定の文字が印字された操作表示シート２５が貼り付けられている。操作表示シート２５は、窓部２４１ａ〜２４１ｃに対応する箇所が透明に形成されており、窓部２４１ａ〜２４１ｃを第２のケース２３外から確認することができる。また、操作表示シート２５は、窓部２４１ａ，２４１ｂに対向する箇所の近傍に、運転，停止の文字が印字され、窓部２４１ｃに対向する箇所に故障の文字が印字されている。
【００４６】
操作部２４２は、ボタン２４２ａ，２４２ｂと、スライドつまみ２４２ｃとで構成されている。ボタン２４２ａは、押下されることでボタンスイッチからなるスイッチ素子ＳＷ１の接点をオンし、ボタン２４２ｂは、押下されることでボタンスイッチからなるスイッチ素子ＳＷ２の接点をオンする。スライドつまみ２４２ｃは、スライド操作されることでスライドスイッチからなるスイッチ素子ＳＷ３を連動して操作する。
【００４７】
また、操作表示シート２５は、ボタン２４２ａ，２４２ｂに対応する箇所にそれぞれＯＮ，ＯＦＦの文字が印字され、スライドつまみ２４２ｃに対応する箇所に手動・切・自動の文字が印字されている。また、スライドつまみ２４２ｃに対応する箇所には、スライドつまみ２４２ｃを左右方向へスライド可能とする開口２５ａが形成されている。なお、操作表示シート２５は、ボタン２４２ａ，２４２ｂを操作表示シート２５を介して外部から押下操作可能な厚みに設定されている。
【００４８】
上記構成からなる本実施形態の制御ユニットは、図６に示すように、分電盤３１内においてリモコンブレーカ３１１にプラグイン接続された導電バー３１２の右側に配設される。そのため、本制御ユニットは、端子部１２を有する第１のケース１１の一端が右方向に向けられ、第１のケース１１の他端が左方向に向けられて導電バー３１２に対向して配設される。なお、図６では、リモコンブレーカ３１１及び導電バー３１２及び制御ユニット以外の部品については省略している。
【００４９】
次に、本実施形態の制御ユニットの制御について図１を用いて説明する。
【００５０】
回路基板１３に設けられる制御部１３２は、信号処理部１３２ａおよび表示制御部１３２ｂの機能を有しており、リモコンブレーカ３１１の制御、およびＬＥＤ素子２２１ａ〜２２１ｃからなる表示部２２１の点灯制御を行う。
【００５１】
まず、スイッチ素子ＳＷ３が操作され、切の位置にある場合について説明する。スイッチ素子ＳＷ３が切の位置にある場合、制御ユニットは切モードであり、電源回路１３１から制御部１３２への電源供給が停止しており、リモコンブレーカ３１１の制御をすることができない。また、表示制御部１３２ｂがＬＥＤ２１１ａ〜２２１ｃを消灯させることで、制御ユニットの停止をユーザーに報知している。
【００５２】
次に、スイッチ素子ＳＷ３が操作され、手動の位置にある場合について説明する。スイッチ素子ＳＷ３が手動の位置にある場合、制御ユニットは手動モードであり、スイッチ素子ＳＷ１，ＳＷ２を押下することで、リモコンブレーカ３１１のオン・オフを制御することができる。
【００５３】
ＯＮと印字されたボタン２４２ａを押下すると、スイッチ素子ＳＷ１も押下され、オン操作信号Ｓ３ａが信号処理部１３２ａに入力される。すると、信号処理部１３２ａは、リモコンブレーカ３１１をオンさせる制御信号Ｓ１を生成して、第１の端子部１２１を介してリモコンブレーカ３１１に出力する。そして、リモコンブレーカ３１１は制御信号Ｓ１に応じてオンする。
【００５４】
また、ＯＦＦと印字されたボタン２４２ｂを押下すると、スイッチ素子ＳＷ２も押下され、オフ操作信号Ｓ３ｂが信号処理部１３２ａに入力される。すると、信号処理部１３２ａは、リモコンブレーカ３１１をオフさせる制御信号Ｓ１を生成して、第１の端子部１２１を介してリモコンブレーカ３１１に出力する。そして、リモコンブレーカ３１１は制御信号Ｓ１に応じてオフする。
【００５５】
次に、スイッチ素子ＳＷ３が操作され、自動の位置にある場合について説明する。スイッチ素子ＳＷ３が自動の位置にある場合、制御ユニットは自動モードであり、第２の端子部１２２に接続され、分電盤３１外に設けられた外部機器４からリモコンブレーカ３１１を制御することができる。外部機器４は押しボタンや接点スイッチや信号出力手段等を備えており、リモコンブレーカ３１１のオン・オフを指示する操作信号Ｓ３ｃを第２の端子部１２２を介して信号処理部１３２ａに出力する。そして、信号処理部１３２ａは操作信号Ｓ３ｃの指示内容に基づいて、リモコンブレーカ３１１をオン・オフする。
【００５６】
また、信号処理部１３２ａはリモコンブレーカ３１１に制御内容を指示する制御信号Ｓ１を送信すると共に、記憶部１３２ｃに送信する制御信号Ｓ１の制御内容を記憶する。リモコンブレーカ３１１は、制御信号Ｓ１を受信すると、制御信号Ｓ１が指示する制御内容に基づいたオン・オフ動作をし、動作完了後のオン・オフの状態を示す状態信号Ｓ２を返信する。信号処理部１３２ａは第１の端子部１２１を介して状態信号Ｓ２を受信すると、状態信号Ｓ２が示すリモコンブレーカ３１１の動作状態を記憶部１３２ｃに記憶する。そして、制御信号Ｓ１を送信してから所定時間後に、表示制御部１３２ｂが記憶部１３２ｃに格納された最新の制御信号Ｓ１が指示する制御内容および状態信号Ｓ２が示す動作状態を比較して、表示部２２１の点灯制御を行う。なお、所定時間とは、信号処理部１３２ａが制御信号Ｓ１を送信してから、リモコンブレーカ３１１が動作を完了して状態信号Ｓ２を返信し、信号処理部１３２ａが状態信号Ｓ２を受信して動作状態を記憶部１３２ｃに記憶するまでに要する処理時間以上に設定する。以下、所定時間をタイムアウト時間と称す。
【００５７】
まず、信号処理部１３２ａからオンを指示する制御信号Ｓ１が送信される場合について説明する。信号処理部１３２ａは、オンを指示する制御信号Ｓ１をリモコンブレーカ３１１に送信すると共に、記憶部１３２ｃに指示内容（オン）を記憶する。リモコンブレーカ３１１は、オン指示を示す制御信号Ｓ１を受信すると、オフ状態からオン状態に切り替える。そして、オン動作完了後にリモコンブレーカ３１１は、自己の動作状態であるオン状態を示す状態信号Ｓ２を返信する。信号処理部１３２ａは、オン状態を示す状態信号Ｓ２を受信すると、記憶部１３２ｃに動作状態（オン）を記憶する。そして、制御信号Ｓ１が出力されてからタイムアウト時間後に、表示制御部１３２ｂは記憶部１３２ｃに格納された最新の制御信号Ｓ１の指示内容と状態信号Ｓ２の動作状態とを比較する。記憶部１３２ｃには、指示内容（オン）と動作状態（オン）とが記憶されており、内容（オン）が一致するので、表示制御部１３２ｂはＬＥＤ素子２２１ａの点灯を指示する表示信号Ｓ４を出力し、ＬＥＤ素子２２１ａのみを点灯させる。ＬＥＤ素子２２１ａが点灯することによって、運転と印字された窓部２４１ａから光が放射され、ユーザーにリモコンブレーカ３１１がオン状態であることを報知する。
【００５８】
次に、信号処理部１３２ａからオフを指示する制御信号Ｓ１が送信される場合について説明する。信号処理部１３２ａは、オフを指示する制御信号Ｓ１をリモコンブレーカ３１１に送信すると共に、記憶部１３２ｃに指示内容（オフ）を記憶する。リモコンブレーカ３１１は、オフ指示を示す制御信号Ｓ１を受信すると、オン状態からオフ状態に切り替える。そして、オフ動作完了後にリモコンブレーカ３１１は、自己の動作状態であるオフ状態を示す状態信号Ｓ２を返信する。信号処理部１３２ａは、オフ状態を示す状態信号Ｓ２を受信すると、記憶部１３２ｃに動作状態（オフ）を記憶する。そして、制御信号Ｓ１が出力されてからタイムアウト時間後に、表示制御部１３２ｂは記憶部１３２ｃに格納された最新の制御信号Ｓ１の指示内容と状態信号Ｓ２の動作状態とを比較する。記憶部１３２ｃには、指示内容（オフ）と動作状態（オフ）とが記憶されており、内容（オフ）が一致するので、表示制御部１３２ｂはＬＥＤ素子２２１ｂの点灯を指示する表示信号Ｓ４を出力し、ＬＥＤ素子２２１ｂのみを点灯させる。ＬＥＤ素子２２１ｂが点灯することによって、停止と印字された窓部２４１ｂから光が放射され、ユーザーにリモコンブレーカ３１１がオフ状態であることを報知する。
【００５９】
次に、リモコンブレーカ３１１が過電流によってトリップした場合について説明する。リモコンブレーカ３１１が過電流によってトリップすると、リモコンブレーカ３１１からトリップ状態を示す状態信号Ｓ２が送信される。信号処理部１３２ａがトリップ状態を示す状態信号Ｓ２を受信すると、表示制御部１３２ｂはＬＥＤ素子２２１ｃの点滅を指示する表示信号Ｓ４を出力し、ＬＥＤ素子２２１ｃを点滅させる。ＬＥＤ素子２２１ｃが点滅することによって、故障と印字された窓部２４１ｃから放射される光が点滅し、ユーザーにリモコンブレーカ３１１がトリップ状態であることを報知する。
【００６０】
しかし、リモコンブレーカ３１１が故障し、制御内容を指示する制御信号Ｓ１に対して、正常に動作しない場合がある。
【００６１】
まず、信号処理部１３２ａからオンを指示する制御信号Ｓ１が送信されているにもかかわらず、リモコンブレーカ３１１が正常に動作せずオフ状態のままである場合について説明する。信号処理部１３２ａは、オンを指示する制御信号Ｓ１をリモコンブレーカ３１１に送信すると共に、記憶部１３２ｃに指示内容（オン）を記憶する。しかし、リモコンブレーカ３１１が異常となっており、オンを指示する制御信号Ｓ１を受信しているにもかかわらず、オフ状態からオン状態に切り替わらない。そのため、オフ状態からオン状態への切替動作が完了していないので、リモコンブレーカ３１１から状態信号Ｓ２は返信されない。そして、信号処理部１３２ａは制御信号Ｓ１出力後、状態信号Ｓ２を受信していないので、記憶部１３２ｃに格納されたリモコンブレーカ３１１の動作状態は以前の動作状態（オフ）のままとなる。そして、制御信号Ｓ１が送信されてからタイムアウト時間後に、表示制御部１３２ｂは記憶部１３２ｃに格納された最新の制御信号Ｓ１の指示内容と状態信号Ｓ２の動作状態とを比較する。記憶部１３２ｃには、指示内容（オン）と動作状態（オフ）とが記憶されており内容が一致しないので、表示制御部１３２ｂは、ＬＥＤ素子２２１ｂの点滅を指示する表示信号Ｓ４を出力し、ＬＥＤ素子２２１ｂを点滅させる。ＬＥＤ素子２２１ｂを点滅させることによって、停止と印字された窓部２４１ｂから放射される光が点滅し、ユーザーにリモコンブレーカ３１１がオフ状態からオン状態への切替動作を完了できていないこと報知する。また、ＬＥＤ素子２２１ｂが点滅していることは、信号処理部１３２ａからオンを指示する制御信号Ｓ１が正常に送信されているにもかかわらず、リモコンブレーカ３１１がオフ状態からオン状態への切替動作が完了していないことを示している。したがって、リモコンブレーカ３１１の異常であると認識することができる。
【００６２】
また、リモコンブレーカ３１１がオフ状態からオン状態への切替動作を完了することができないが、状態信号Ｓ２を返信する場合も考えられる。その場合、リモコンブレーカ３１１は制御信号Ｓ１の受信後、自己の動作状態であるオフ状態を示す状態信号Ｓ２を返信する。そして、信号処理部１３２ａがオフ状態を示す状態信号Ｓ２を受信すると、記憶部１３２ｃに動作状態（オフ）を記憶する。そして、上記と同様に、記憶部１３２ｃには、指示内容（オン）と動作状態（オフ）とが記憶されており内容が一致しないので、表示制御部１３２ｂは、ＬＥＤ素子２２１ｂの点滅を指示する表示信号Ｓ４を出力し、ＬＥＤ素子２２１ｂを点滅させる。
【００６３】
次に、信号処理部１３２ａからオフを指示する制御信号Ｓ１が送信されているにもかかわらず、リモコンブレーカ３１１が正常に動作せずオン状態のままである場合について説明する。信号処理部１３２ａは、オフを指示する制御信号Ｓ１をリモコンブレーカ３１１に出力すると共に、記憶部１３２ｃに指示内容（オフ）を記憶する。しかし、リモコンブレーカ３１１が異常となっており、オフを指示する制御信号Ｓ１を受信しているにもかかわらず、オン状態からオフ状態に切り替わらない。そのため、オン状態からオフ状態への切替動作が完了していないので、リモコンブレーカ３１１から状態信号Ｓ２は返信されない。そして、信号処理部１３２ａは制御信号Ｓ１送信後、状態信号Ｓ２を受信していないので、記憶部１３２ｃに格納されたリモコンブレーカ３１１の動作状態は以前の動作状態（オン）のままとなる。そして、制御信号Ｓ１が送信されてからタイムアウト時間後に、表示制御部１３２ｂは記憶部１３２ｃに格納された最新の制御信号Ｓ１の指示内容と状態信号Ｓ２の動作状態とを比較する。記憶部１３２ｃには、指示内容（オフ）と動作状態（オン）とが記憶されており内容が一致しないので、表示制御部１３２ｂは、ＬＥＤ素子２２１ａの点滅を指示する表示信号Ｓ４を出力し、ＬＥＤ素子２２１ａを点滅させる。ＬＥＤ素子２２１ａを点滅させることによって、運転と印字された窓部２４１ａから放射される光が点滅し、ユーザーにリモコンブレーカ３１１がオン状態からオフ状態への切替動作を完了できていないこと報知する。また、ＬＥＤ素子２２１ａが点滅していることは、信号処理部１３２ａからオフを指示する制御信号Ｓ１が正常に送信されているにもかかわらず、リモコンブレーカ３１１がオン状態からオフ状態への切替動作が完了していないことを示している。したがって、リモコンブレーカ３１１の異常であると認識することができる。
【００６４】
また、リモコンブレーカ３１１がオン状態からオフ状態への切替動作を完了することができないが、状態信号Ｓ２を返信する場合も考えられる。その場合、リモコンブレーカ３１１は制御信号Ｓ１の受信後、自己の動作状態であるオン状態を示す状態信号Ｓ２を返信する。そして、信号処理部１３２ａがオン状態を示す状態信号Ｓ２を受信すると、記憶部１３２ｃに動作状態（オン）を記憶する。そして、上記と同様に、記憶部１３２ｃには、指示内容（オフ）と動作状態（オン）とが記憶されており内容が一致しないので、表示制御部１３２ｂは、ＬＥＤ素子２２１ａの点滅を指示する表示信号Ｓ４を出力し、ＬＥＤ素子２２１ａを点滅させる。
【００６５】
このように、表示制御部１３２ｂが記憶部１３２ｃに格納された最新の制御信号Ｓ１が指示する制御内容および状態信号Ｓ２が示す動作状態に基づいて、表示部２２１を点灯制御する。それによって、リモコンブレーカ３１１の操作不能時にリモコンブレーカ３１１の異常を報知することができる。
【００６６】
また、従来の制御ユニットを分電盤３１内に配設した際に、制御ユニットの端子部１２と分電盤３１の側壁とが近いので配線作業が困難であった。また、前後方向に並設された速結端子１２１ａ，１２２ａの端子位置および端子番号が分かりづらいという問題があった。
【００６７】
図７（ａ）〜（ｃ）に本実施形態の制御ユニットの端子部１２の詳細な構造を示す。図７（ａ）は端子部１２の外観斜視図、図７（ｂ）は端子部１２の断面図、図７（ｃ）は端子部１２の上面図、図７（ｄ）は端子部１２の側面図である。端子部１２は、第１の端子部１２１と第２の端子部１２２とで構成されており、第１の端子部１２１は回路基板１３Ａの前面の右端に設けられ、第２の端子部１２２は回路基板１３Ｂの前面の右端に設けられている。回路基板１３Ｂは回路基板１３Ａの前方に回路基板１３Ａと略平行に設けられているため、第２の端子部１２２は第１の端子部１２１に対して前方側にある。また、回路基板１３Ｂの右端は回路基板１３Ａの右端よりも左方側にあるため、第２の端子部１２２は第１の端子部１２１に対して左方側にある。
【００６８】
したがって、第２の端子部１２２は第１の端子部１２１に対して前方側かつ左方側にずれて設けられている。さらに、第１の端子部１２１と第２の端子部１２２とで、互いに色が異なるように色分けをしている。このように、第１，第２の端子部１２１，１２２に構造的な段差を設け、色分けをすることによって、速結端子１２１ａ，１２２ａの端子位置および端子番号をユーザーが認識しやすくなる。
【００６９】
さらに、第１の端子部１２１には分電盤３１の組み立て時にリモコンブレーカ３１１などの分電盤３１内の電気機器が接続され、第２の端子部１２２には現場での施工時に外部機器４が接続される。したがって、分電盤３１の底面側に配設され配線作業が困難な第１の端子部１２１への配線作業は工場で完了することができる。さらに、第２の端子部１２２は分電盤３１１の側壁から離れた場所かつ、分電盤３１の開口側にあるので、現場での第２の端子部１２２への配線作業が容易になり、施工性が向上する。
【００７０】
さらに、本実施形態の制御ユニットは、図３に示すように第１のケース１１の左右方向の右端に端子部１２が設けられ、左端に放熱用のスリット１１ｂが設けられている。スリット１１ｂは、第１のケース１１の前面における左端から左右方向に形成されている。
【００７１】
また、スリット１１ｂの左右方向の長さはネジ等が入らない長さに形成され、複数のスリット１１ｂが上下方向に並んで設けられている。したがって、スリット１１ｂの開口面積を確保して第１のケース１１内に収納される電源回路１３１および制御部１３２の放熱性を向上させ従来よりも寿命を延ばすと共に、スリット１１ｂを介してケース１１内に外部からゴミや電線などの侵入を防止している。
【００７２】
また、本実施形態の制御ユニットは、端子部１２に接続されるリード線が、導電バー３１２の配設されている方向とは逆の第１のケース１１の右方向から接続される。そのため、リード線を端子部１２に容易に接続することができると共に、リード線を伝達する信号がノイズの影響を受けてリモコンブレーカ３１１が誤作動することを防止することができる。
【００７３】
そして、制御ユニットを導電バー３１２の右側から導電バー３１２の左側（図７の破線で示す位置）へ移動する際には、まず、第２のコネクタ２１Ａを第１のコネクタ１４から引き抜いて、サブユニット２をメインユニット１から分離させる。
【００７４】
次に、端子部１２の設けられている第１のケース１１の一端が、右方向を向いた状態から左方向を向いた状態となるようにメインユニット１を１８０度回転させる。
【００７５】
続いて、回転後のメインユニット１を導電バー３１２の左側に配設して再びサブユニット２をメインユニット１に取り付ける。ここで、再びサブユニット２をメインユニット１に取り付ける際には、メインユニット１の回転軸Ｘが第２のケース２３下面の中心を通るように、サブユニット２をメインユニット１に対向配置する。
【００７６】
すると、２つの第２のコネクタ２１Ａ、２１Ｂが、第２のケース２３下面の中心に対して点対称に形成されていることから、第１のコネクタ１４は、第２のコネクタ２１Ｂに対向する。
【００７７】
続いて、サブユニット２の分電盤に対する設置方向を変えることなく、第１のコネクタ１４に第２のコネクタ２１Ｂを挿し込む。それによって、第１のコネクタ１４のコンタクト１４ｂと第２のコネクタ２１Ｂのポスト２１ｂとが導通する。さらに、第１のコネクタ１４の切り欠き部１４１に第２のコネクタ２１Ｂの突部２１１が嵌め込まれて、第１のコネクタ１４と第２のコネクタ２１Ｂとが電気的、機械的に接続される。
【００７８】
従って、移動後の制御ユニットは、図８に示すように、第１のケース１１の設置方向が１８０度回転されて、第１のケース１１の左端に入力／出力端子部１２が設けられ、第１のケース１１の右端が導電バー３１２に対向する。そのため、端子部１２に接続されるリード線が、導電バー３１２の配設されている方向とは逆の第１のケース１１の左方向から接続される。したがって、リード線を端子部１２に容易に接続することができると共に、リード線を伝達する信号がノイズの影響を受けて電気機器が誤作動することを防止することができる。
【００７９】
更に、設置方向が１８０度回転されたメインユニット１に対して、分電盤に対する設置方向を変えることなくサブユニット２を接続することができ、操作表示面２４に表示された文字が逆さになることを防止する。更に、操作部２４２の操作方向と、操作部２４２及び表示部２４１の配置とが上下逆になることを防止できるので、分電盤内の配置に自由度をもたせることができる。
【００８０】
よって、本実施形態の制御ユニットは、設置方向を１８０度回転させた場合であっても、端子部１２に接続されるリード線が導電バーに近接することを防止する。それによって、リード線の接続を容易に行うことができると共に、リード線を伝達する信号がノイズの影響を受けて電気機器が誤作動することを防止できる。更に、分電盤に対するサブユニット２の設置方向が変わらないため操作表示面２４が上下逆にならず、分電盤内の配置に自由度をもたせることができる。
【００８１】
また、第１，第２のコネクタ１４，２１として複数のコンタクト１４ｂ、ポスト２１ｂを具備したコネクタを用いていることで、信号線ごとにコネクタを設ける必要がない。そのため、メインユニット１とサブユニット２との間の信号の送受信のための回路構成を簡単化することができる。
【００８２】
なお、本実施形態ではサブユニット２に第２のコネクタ２１Ａ，２１Ｂを設けているが、サブユニット２に第２のコネクタ２１Ａ，２１Ｂのいずれか一方のみを設けて、メインユニット１の第１のコネクタ１４を前記回転軸Ｘに対して点対称に２つ形成してもよい。この場合には、２つの第１のコネクタ１４は、回転軸Ｘに対して互いにポスト１４ａが点対称に配置される。
【符号の説明】
【００８３】
１    メインユニット
２    サブユニット
４    外部機器
５    外部電源
１２  端子部
１３  回路基板
１４  第１のコネクタ
２１  第２のコネクタ
２２  操作表示基板
２４  操作表示面
１２１  第１の端子部
１２２  第２の端子部
１３１  電源回路
１３２  制御部
１３２ａ  信号処理部
１３２ｂ  表示制御部
１３２ｃ  記憶部
２２１    表示部
２４１  モニター部
２４２  操作部
３１１  リモコンブレーカ
ＳＷ１〜ＳＷ３  スイッチ素子
【図１】
2011259626.tif 000003
【図２】
2011259626.tif 000004
【図３】
2011259626.tif 000005
【図４】
2011259626.tif 000006
【図５】
2011259626.tif 000007
【図６】
2011259626.tif 000008
【図７】
2011259626.tif 000009
【図８】
2011259626.tif 000010